(57)【要約】  シェービング装置のような毛切断装置１のための切断機構４であって、複数の毛入口開口１４を有する、外側切断部材６と、それぞれが第１の切断端２０を持つ複数の切断要素１８を有する内側切断部材６と、を有する切断機構が開示される。内側切断部材８は、該切断機構の切断帯内で切断動作を実行するよう、外側切断部材６に対して回転可能である。毛入口開口１４は、分割要素１６により分離され、該分割要素は、該切断帯内に存する切断部分３２と、該切断帯の外である非切断部分３６と、を有する。該非切断部分は、内側切断部材８に面する内壁３０と、内壁３０に略垂直な側壁２４と、を有する。該非切断部分の内壁３０と該非切断部分の側壁２４との間に、単一の平面の面取り部４０が備えられる。
2020518354.tif 000002
【特許請求の範囲】
【請求項１】
毛切断装置のための切断機構であって、
複数の毛入口開口を有する、外側切断部材と、
それぞれが第１の切断端を持つ複数の切断要素を有する内側切断部材であって、前記内側切断部材は、前記切断機構の切断帯内で切断動作を実行するよう、前記外側切断部材に対して回転可能である、内側切断部材と、
を有し、隣接する前記毛入口開口は、分割要素により分離され、前記分割要素は、
前記切断帯内に存する切断部分を有し、前記切断部分は、前記内側切断部材に面する内壁と、前記内壁と当接して前記第１の切断端と協働するよう構成された第２の切断端を形成する側壁と、を持ち、前記分割要素は更に、
前記切断帯の外である非切断部分を有し、前記非切断部分は、前記内側切断部材に面する内壁と、前記非切断部分の前記内壁に略垂直な側壁と、を有する、切断機構において、
前記非切断部分の前記内壁に垂直にとられ、前記分割要素に対する前記第１の切断端の局所的な動き方向に平行に延在する、前記分割要素の断面で見て、前記非切断部分の前記内壁と前記非切断部分の前記側壁との間に、単一の平面の面取り部が備えられたことを特徴とする、切断機構。
【請求項２】
前記非切断部分は、前記非切断部分の前記内壁に略垂直な第１の側壁及び第２の側壁を有し、前記分割要素の断面で見て、前記非切断部分の前記内壁と前記第１の側壁との間に第１の単一の平面の面取り部が備えられ、前記非切断部分の前記内壁と前記第２の側壁との間に第２の単一の平面の面取り部が備えられた、請求項１に記載の切断機構。
【請求項３】
前記非切断部分は、前記切断帯の第１の側に配置された第１の部分と、前記第１の側とは反対の前記切断帯の第２の側に配置された第２の部分と、を有する、請求項１又は２に記載の切断機構。
【請求項４】
前記又はそれぞれの単一の面取り部は、前記分割要素の内側面と外側面との間の距離の１０％乃至４０％の高さに亘って形成された、請求項１乃至３のいずれか一項に記載の切断機構。
【請求項５】
前記又はそれぞれの単一の面取り部の高さは、０．０２ｍｍと０．１０ｍｍとの間である、請求項１乃至４のいずれか一項に記載の切断機構。
【請求項６】
前記毛入口開口の幅は、０．１５ｍｍと０．４５ｍｍとの間である、請求項１乃至５のいずれか一項に記載の切断機構。
【請求項７】
各前記分割要素の前記内側面と前記外側面との間の距離は、０．０５ｍｍと０．３ｍｍとの間である、請求項４に記載の切断機構。
【請求項８】
前記内側切断部材は、前記外側切断部材に対して回転軸のまわりに回転可能であり、それにより前記切断機構の環状の切断帯のなかで切断動作を実行する、請求項１乃至７のいずれか一項に記載の切断機構。
【請求項９】
前記切断部分は、前記切断部分の前記内壁と当接して前記第２の切断端を形成する第１の側壁と、前記切断部分の前記内壁に略垂直な第２の側壁と、を有し、前記切断部分の前記内壁に垂直にとられ、前記分割要素に対する前記第１の切断端の局所的な動き方向に平行に延在する、前記分割要素の断面で見て、前記切断部分の前記内壁と前記切断部分の前記第２の側壁との間に、更なる単一の平面の面取り部が備えられた、請求項８に記載の切断機構。
【請求項１０】
前記非切断部分の少なくとも一部は、前記回転軸に対して、前記環状の切断帯の径方向外側又は径方向内側に配置された、請求項８又は９に記載の切断機構。
【請求項１１】
前記又はそれぞれの単一の面取り部は、それぞれの側壁に対して１２０度と１６０度との間の内角を形成する、請求項１乃至１０のいずれか一項に記載の切断機構。
【請求項１２】
前記外側切断部材は、少なくとも部分的に、加圧により形成された、請求項１乃至１１のいずれか一項に記載の切断機構。
【請求項１３】
請求項１乃至１２のいずれか一項に記載の切断機構を有する、毛切断装置。
【請求項１４】
請求項１に記載の切断機構の外側切断部材を製造する方法であって、
前記複数の毛入口開口を有するブランクを備えるステップであって、隣接する前記毛入口開口は前記分割要素により分離されたステップと、
型押し機により前記ブランクを加圧し、前記分割要素の前記非切断部分の前記内壁と、前記分割要素の前記非切断部分の前記側壁と、の間において端の長さに沿って前記単一の面取り部を形成するステップと、
を有する方法。
【請求項１５】
請求項２に記載の切断機構の外側切断部材を製造する方法であって、
前記複数の毛入口開口を有するブランクを備えるステップであって、隣接する前記毛入口開口は前記分割要素により分離されたステップと、
型押し機により前記ブランクを加圧し、前記非切断部分の前記内壁と、前記非切断部分の前記第１の側壁と、の間において第１の端部の長さに沿って、前記非切断部分の前記内壁と、前記非切断部分の前記第１の側壁と、の間に前記第１の単一の面取り部を形成し、前記非切断部分の前記内壁と、前記非切断部分の前記第２の側壁と、の間において第２の端部の長さに沿って、前記非切断部分の前記内壁と、前記非切断部分の前記第２の側壁と、の間に前記第２の単一の面取り部を形成するステップと、
を有する方法。
【請求項１６】
請求項９に記載の切断機構の外側切断部材を製造する方法であって、
前記複数の毛入口開口を有するブランクを備えるステップであって、隣接する前記毛入口開口は前記分割要素により分離されたステップと、
型押し機により前記ブランクを加圧し、前記切断部分の前記内壁と、前記切断部分の前記第２の側壁と、の間において端の長さに沿って、前記切断部分の前記内壁と、前記切断部分の前記第２の側壁と、の間に前記単一の面取り部を形成するステップと、
を有する方法。
【請求項１７】
前記型押し機は、前記又はそれぞれの単一の面取り部を形成するような形状を持つ、請求項１４乃至１６のいずれか一項に記載の方法。
【請求項１８】
前記型押し機は、前記型押し機による前記ブランクの加圧が、前記型押し機と前記ブランクとを適切に整列させるよう、前記型押し機と前記ブランクとの間の相対運動を引き起こすような形状とされた、請求項１４乃至１７のいずれか一項に記載の方法。
【請求項１９】
前記型押し機は、対応する内壁に面する第１の型押し機であり、前記ブランクは、前記第１の型押し機と第２の型押し機との間において加圧される、請求項１４乃至１８のいずれか一項に記載の方法。
【請求項２０】
前記分割要素は、外壁、第１の側壁及び第２の側壁を持ち、前記第１の型押し機と前記第２の型押し機との間における前記ブランクの加圧が、前記分割要素の前記外壁と前記第１の側壁との間の端部を輪郭付け、前記分割要素の前記外壁と前記第２の側壁との間の端部を輪郭付ける、請求項１９に記載の方法。
【請求項２１】
前記第１の型押し機と前記第２の型押し機との間における前記ブランクの加圧が、前記分割要素の前記外壁と前記第１の側壁との間の端部に沿って丸い輪郭を形成し、前記分割要素の前記外壁と前記第２の側壁との間の端部に沿って丸い輪郭を形成する、請求項２０に記載の方法。
【請求項２２】
前記第２の型押し機は、前記分割要素の前記外壁と前記第１の側壁との間に端部を輪郭付け、前記分割要素の前記外壁と前記第２の側壁との間で端部を輪郭付けるような形状とされた、請求項２０又は２１に記載の方法。
【請求項２３】
前記加圧されたブランクをカップ状に形成するステップを更に有する、請求項１４乃至２２のいずれか一項に記載の方法。
【発明の詳細な説明】
【技術分野】
【０００１】
シェービング装置のような毛切断装置のための切断機構が開示される。
【背景技術】
【０００２】
従来考えられてきた回転式シェービング装置は、外側切断部材と内側切断部材とを有する切断機構を有する。毛入口開口は、該外側切断部材に形成される。使用の間、該内側切断部材は、該外側切断部材に対して回転し、毛入口開口に導かれた毛が切断される切断動作を実行する。毛入口開口の形状により、毛を引っ掛けて引っ張ってしまう可能性がある。このことは快適さを損なうことに帰着し得る。
【発明の概要】
【発明が解決しようとする課題】
【０００３】
国際特許出願公開WO2014/147520A1に開示された、更に従来考えられてきた回転式シェービング装置は、外側切断部材と内側切断部材とを有する切断機構を有する。該外側切断部材は、少なくとも該外側切断部材の第１の及び第２の壁部分により境界付けられた少なくとも１つの毛入口開口を有し、少なくとも該第１の壁部分は、該内側切断部材の切断端との協働のための切断端を有する。切断経路を有する平面に略垂直にとられた断面において、切断経路を有する平面に面する第２の壁部分の端部は、少なくとも２つの接点において、少なくとも３０マイクロメートルの半径を持つ仮想円に接触する。第２の壁部分の端部は、製造が難しいものであり得、毛が引っ張られ得る増大された端の数をもたらし得、又は最適でない角度で面を提供して端部における毛の引っ張りの傾向を増大させ得る。
【０００４】
欧州特許出願公開EP0652086A1は、外側切断部材と、該外側切断部材に対して回転可能な内側切断部材と、を有するシェービング装置のシェービングユニットを開示している。該外側切断部材は、略径方向に延在する複数の薄板を持ち、該薄板間に毛入口開口が形成される。該薄板は、該シェービングユニットの径方向に延在する断面で見て、丸まった外側面と、該外側切断部材の垂直周縁壁に対して斜めに延在する内側面と、を有する。
【０００５】
従って、切断機構の分野においては改善が求められ得ることが明らかである。
【課題を解決するための手段】
【０００６】
本発明の第１の態様によれば、毛切断装置のための切断機構であって、複数の毛入口開口を有する、外側切断部材と、それぞれが第１の切断端を持つ複数の切断要素を有する内側切断部材であって、前記内側切断部材は、前記切断機構の切断帯内で切断動作を実行するよう、前記外側切断部材に対して回転可能である、内側切断部材と、を有し、隣接する前記毛入口開口は、分割要素により分離され、前記分割要素は、前記切断帯内に存する切断部分を有し、前記切断部分は、前記内側切断部材に面する内壁と、前記内壁と当接して前記第１の切断端と協働するよう構成された第２の切断端を形成する側壁と、を持ち、前記分割要素は更に、前記切断帯の外である非切断部分を有し、前記非切断部分は、前記内側切断部材に面する内壁と、前記非切断部分の前記内壁に略垂直な側壁と、を有する、切断機構において、前記非切断部分の前記内壁に垂直にとられ、前記分割要素に対する前記第１の切断端の局所的な動き方向に平行に延在する、前記分割要素の断面で見て、前記非切断部分の前記内壁と前記非切断部分の前記側壁との間に、単一の平面の面取り部が備えられたことを特徴とする、切断機構が提供される。
【０００７】
本発明による切断機構は、以前に考案された切断機構に対して利点を提供し、以前に考案された切断機構に関する問題の１つ以上を解決し得る。特に、本発明による切断機構は、より容易に且つ安価に製造され、毛の引っ張りを低減させ得る。
【０００８】
本発明による切断機構の切断動作の間、毛の切断は、単一の平面の切断領域に沿って又は該領域内で生じ得る。それ故、該切断領域は、切断面内に存し得る。該切断領域は、内側切断部材が外側切断部材に対して動くときに内側切断部材の第１の切断端により辿られる経路によって定義され得る。内側切断部材が回転軸のまわりに外側切断部材に対して回転可能である実施例においては、第１の切断端は環状の経路を辿り得、それ故切断領域は環状となり得る。内側切断部材が２つの対向する直線運動方向に外側切断部材に対して直線往復運動を実行する実施例においては、第１の切断端は直線の経路を辿り得、それ故切断領域は直線の領域となり得、このとき主な延在方向は該直線運動方向に平行となる。「切断帯」は、切断領域のすぐ上及び下の空間として定義され得る。分割要素の「切断部分」は、特に切断領域の上又は下の視点から切断領域に垂直な方向で見たときに、切断帯内に存する。分割要素の「非切断部分」は、特に切断領域の上又は下の視点から切断領域に垂直な方向で見たときに、切断帯の外である。それ故、内側切断部材が回転軸のまわりに外側切断部材に対して回転可能である実施例においては、「非切断部分」は、回転軸に対して「切断帯」の径方向内側又は外側に配置され得る。
【０００９】
「面取り部」なる語は、２つの面又は壁の間の中間面又は遷移面を意味するものとして理解されるべきであり、少なくとも分割要素の非切断部分の内壁に垂直にとられ分割要素に対して第１の切断端の局所的な動き方向に平行に延在する断面において、平面（即ち湾曲していない）である。しかしながら、該面取り部は一般に非切断部分の内壁と非切断部分の側壁との間の端部に沿って備えられ、該端部は主な延在方向に沿って湾曲し得るため、該面取り部は該主な延在方向に沿って湾曲し得る。例えば、内側切断部材が回転軸のまわりに外側切断部材に対して回転可能である実施例においては、該面取り部は、回転軸に対して径方向に垂直にとられた分割要素の断面において平面状であるが、特に毛入口スロットが径方向に湾曲している場合には、回転軸に対して径方向に湾曲していても良い。
【００１０】
本発明による切断機構の一実施例においては、前記非切断部分は、前記非切断部分の前記内壁に略垂直な第１の側壁及び第２の側壁を有し、前記分割要素の断面で見て、前記非切断部分の前記内壁と前記第１の側壁との間に単一の平面の面取り部が備えられ、前記非切断部分の前記内壁と前記第２の側壁との間に単一の平面の面取り部が備えられる。該第１及び第２の側壁は対向する側壁であっても良く、即ち該第１及び第２の側壁は非切断部分の内壁の対向する側面に備えられても良い。
【００１１】
本発明による切断機構の一実施例においては、前記非切断部分は、前記切断帯の第１の側に配置された第１の部分と、前記第１の側とは反対の前記切断帯の第２の側に配置された第２の部分と、を有する。
【００１２】
本発明による切断機構の一実施例においては、前記又はそれぞれの単一の面取り部は、前記分割要素の内側面と外側面との間の距離の１０％乃至４０％の高さに亘って形成される。前記又はそれぞれの単一の面取り部の高さは、０．０２ｍｍと０．１０ｍｍとの間であっても良い。該高さは、該内側面に垂直な方向で測定されるものであっても良い。各前記分割要素の前記内側面と前記外側面との間の距離は、０．０５ｍｍと０．５ｍｍとの間であっても良く、０．０５ｍｍと０．３ｍｍとの間であっても良く、０．１ｍｍと０．３ｍｍとの間であっても良い。前記分割要素の内側面と外側面とは互いに略平行であっても良く、第１の切断端により辿られる切断領域に平行であっても良い。前記毛入口開口の幅は、０．１５ｍｍと０．４５ｍｍとの間であっても良い。該幅は、分割要素に対する第１の切断端の局所的な動き方向に平行な方向に測定されるものであっても良い。内側切断部材が回転軸のまわりに外側切断部材に対して回転可能である実施例においては、該幅は、該回転軸に対して接線方向に測定されるものであっても良い。該毛入口開口は全体的に長細のものであっても良く、幅は該毛入口開口の長さの方向に垂直な方向に測定されるものであっても良い。
【００１３】
本発明による切断機構の一実施例においては、前記内側切断部材は、前記外側切断部材に対して回転軸のまわりに回転可能であり、それにより前記切断機構の環状の切断帯のなかで切断動作を実行する。該内側切断部材は、一方向に回転可能なものであっても良い。該回転軸は、切断領域に垂直であっても良い。該内側切断部材を回転的に駆動するためのモータが備えられても良い。
【００１４】
特に内側切断部材が外側切断部材に対して一方向に回転可能である、本発明による切断機構の更なる実施例においては、前記切断部分は、前記切断部分の前記内壁と当接して前記第２の切断端を形成する第１の側壁と、前記切断部分の前記内壁に略垂直な第２の側壁と、を有し、前記切断部分の前記内壁に垂直にとられ、前記分割要素に対する前記第１の切断端の局所的な動き方向に平行に延在する、前記分割要素の断面で見て、前記切断部分の前記内壁と前記切断部分の前記第２の側壁との間に、更なる単一の平面の面取り部が備えられる。該単一の面取り部は、非切断部分の側壁と非切断部分の内壁との間に備えられた単一の面取り部と連続していても良い。切断部分の第１の側壁もまた、切断部分の内壁に略垂直であっても良い。
【００１５】
内側切断部材が外側切断部材に対して回転軸のまわりに回転可能である、本発明による切断機構の更なる実施例においては、前記非切断部分の少なくとも一部は、前記回転軸に対して、前記環状の切断帯の径方向外側又は径方向内側に配置される。該非切断部分は、該環状の切断帯の径方向外側に配置された第１の部分と、該環状の切断帯の径方向内側に配置された第２の部分と、を有しても良い。該切断部分は、該非切断部分の該第１の部分と該第２の部分との間に配置されても良い。
【００１６】
内側切断部材が外側切断部材に対して回転軸のまわりに回転可能である、本発明による切断機構の実施例においては、前記複数の毛入口開口は、前記回転軸に対して前記外側切断部材において周囲に配置されても良い。各毛入口開口及び／又は各分割要素は、該回転軸に対して主に径方向に延在していても良い。各毛入口開口及び／又は各分割要素は、前記第１の切断端の局所的な動き方向に略垂直で且つ切断領域に平行な方向に延在しても良い。しかしながら、該毛入口開口及び分割要素は、前記回転軸を有する径方向の断面において湾曲した形状を持っても良い。
【００１７】
本発明による切断機構の一実施例においては、前記又はそれぞれの単一の面取り部は、それぞれの側壁に対して１２０度と１６０度との間の内角を形成する。
【００１８】
本発明による切断機構の一実施例においては、前記外側切断部材は、少なくとも部分的に、加圧又は印圧により形成される。
【００１９】
本発明の第２の態様によれば、以上に記載された実施例のいずれかによる少なくとも１つの切断機構を有する毛切断装置が提供される。
【００２０】
本発明の第３の態様によれば、本発明による切断機構の外側切断部材を製造する方法であって、前記複数の毛入口開口を有するブランク（blank）を備えるステップであって、隣接する前記毛入口開口は前記分割要素により分離されたステップと、型押し機により前記ブランクを加圧し、前記分割要素の前記非切断部分の前記内壁と、前記分割要素の前記非切断部分の前記側壁と、の間において端の長さに沿って前記単一の面取り部を形成するステップと、を有する方法が提供される。斯くして形成される該単一の面取り部の長さは、該非切断部分の長さに対応し得る。加圧するステップは、複数の分割要素又は全ての分割要素において単一の面取り部を形成し得る。該外側切断部材を完全に形成するため、更なる製造ステップが実行されても良い。
【００２１】
更に、一実施例による切断機構の外側切断部材を製造する方法であって、前記分割要素の前記非切断部分が、それぞれ単一の面取り部を備えた第１の側壁と第２の側壁とを有する方法が提供される。該方法は、前記複数の毛入口開口を有するブランクを備えるステップであって、隣接する前記毛入口開口は前記分割要素により分離されたステップと、型押し機により前記ブランクを加圧し、前記非切断部分の前記内壁と、前記非切断部分の前記第１の側壁と、の間において第１の端部の長さに沿って、前記非切断部分の前記内壁と、前記非切断部分の前記第１の側壁と、の間に前記第１の単一の面取り部を形成し、前記非切断部分の前記内壁と、前記非切断部分の前記第２の側壁と、の間において第２の端部の長さに沿って、前記非切断部分の前記内壁と、前記非切断部分の前記第２の側壁と、の間に前記第２の単一の面取り部を形成するステップと、を有する。斯くして形成される該単一の面取り部の長さは、該非切断部分の長さに対応し得る。
【００２２】
更に、一実施例による切断機構の外側切断部材を製造する方法であって、前記分割要素の前記切断部分が、前記第２の切断端を有する第１の側壁と、単一の面取り部を備えた第２の側壁と、を有する方法が提供される。該方法は、前記複数の毛入口開口を有するブランクを備えるステップであって、隣接する前記毛入口開口は前記分割要素により分離されたステップと、型押し機により前記ブランクを加圧し、前記切断部分の前記内壁と、前記切断部分の前記第２の側壁と、の間において端の長さに沿って、前記切断部分の前記内壁と、前記切断部分の前記第２の側壁と、の間に前記単一の面取り部を形成するステップと、を有する。斯くして形成される該単一の面取り部の長さは、該切断部分の長さに対応し得る。
【００２３】
本発明による方法の一実施例においては、前記型押し機は、前記又はそれぞれの単一の面取り部を形成するような形状を持つ。該型押し機は、形成されるべき前記単一の面取り部の傾斜角に対応する傾斜角を持つ、少なくとも１つの面取り部形成面を有しても良い。前記型押し機は、前記型押し機による前記ブランクの加圧が、前記型押し機と前記ブランクとを適切に整列させるよう、前記型押し機と前記ブランクとの間の相対運動を引き起こすような形状とされても良い。該ブランクと前記型押し機とが完全に整列させられていない場合にも、該型押し機が該ブランクに向けて動かされるにつれて、該型押し機の形状が、加圧方向に垂直な方向に該ブランクを動かして、該ブランクを該型押し機に適切に整列させ得る。
【００２４】
本発明による方法の一実施例においては、前記型押し機は、対応する内壁に面する第１の型押し機であり、前記ブランクは、前記第１の型押し機と第２の型押し機との間において加圧される。
【００２５】
本発明による方法の一実施例においては、前記分割要素は、外壁、第１の側壁及び第２の側壁を持ち、前記第１の型押し機と前記第２の型押し機との間における前記ブランクの加圧が、前記分割要素の前記外壁と前記第１の側壁との間の端部を輪郭付け、前記分割要素の前記外壁と前記第２の側壁との間の端部を輪郭付けても良い。該第１の型押し機と該第２の型押し機との間において該ブランクを加圧することは、該分割要素の外壁と第１の側壁との間の端部に沿って丸い輪郭を形成し、該分割要素の外壁と第２の側壁との間の端部に沿って丸い輪郭を形成しても良い。該第２の型押し機は、分割要素の外壁と第１の側壁との間に端部を輪郭付け、分割要素の外壁と第２の側壁との間で端部を輪郭付けるような形状とされても良い。
【００２６】
本発明による方法の一実施例においては、該方法は更に、前記加圧されたブランクをカップ状に形成するステップを有する。該カップ形状は、凸状の外側面と、凹状の内側面を持っても良い。
【００２７】
該ブランクは、スタンピング加工、放電加工（ＥＤＣ）、電解加工（ＥＣＭ）、フライス加工、のこ切り加工又はその他の適切な手法によって形成されても良い。
【００２８】
本発明は、ここで参照された特徴及び／又は限定のいずれの組み合わせをも、斯かる特徴の組み合わせが相互に排他的である場合を除き、有し得る。
【００２９】
本発明の実施例は、添付図面を参照しながら、例として、以下に説明される。
【図面の簡単な説明】
【００３０】
【図１】本発明によるシェービング装置を模式的に示す。
【図２】図１のシェービング装置の切断機構の内側及び外側切断部材を模式的に示す。
【図３】図１のシェービング装置の切断機構の内側及び外側切断部材を模式的に示す。
【図４】図３における線Ａ−Ａ及びＢ−Ｂに沿った断面図を模式的に示す。
【図５】図２及び３の外側切断部材の非切断部分の断面の拡大図を模式的に示す。
【図６】図２及び３の外側切断部材の非切断部分間の毛入口開口内の毛を模式的に示す。
【図７】本発明による切断機構の代替実施例の断面図を示す。
【図８】本発明による切断機構の外側切断部材を製造する方法の第１の実施例を模式的に示す。
【図９】本発明による切断機構の外側切断部材を製造する方法の第２の実施例を模式的に示す。
【発明を実施するための形態】
【００３１】
図１は、シェービング装置１（シェーバ）の形をとる本発明による毛切断装置を示す。シェービング装置が説明されるが、本発明はひげ又は毛髪用トリマのような、いずれの適切な毛切断装置において利用され得ることは、理解されるであろう。シェービング装置１は一般的に、主筐体２と、本発明による３つの回転式の切断機構４を有する。使用時には、シェービング装置１は、ユーザの皮膚上を動かされ、切断機構４が、毛が切断される切断動作を実行する。
【００３２】
図２に示されるように、各切断機構４は、外側切断部材６（又はキャップ）と内側切断部材８とを有する。内側切断部材８は、外側切断部材６に対して、回転軸１０のまわりに回転可能である。電動モータ（図示されていない）が、単一の方向Ｄに内側切断部材８を回転可能に駆動し、切断動作を実行するため、主筐体２内に備えられる。外側切断部材６は、円形の外側輪郭を持ち、環状の壁部１２を有する。外側切断部材６の外側面は、外側切断部材６の該壁部の厚さを通して延在する複数の毛入口開口１４（又は開口部）を備える。各毛入口開口１４は長細であり、回転軸１０に対して径方向に延在する。毛入口開口１４は、外側切断部材において円周方向に配置され、等間隔に配置される。毛入口開口１４は、純粋に径方向に延在することが図示されているが、他の実施例においては、真の径に対して傾けられても良く、及び／又は延在の主方向において湾曲させられていても良い。隣接する毛入口開口１４は、本実施例においては径方向に延在する分割要素１６（又は薄板）により分離されている。該分割要素もまた、毛入口開口１４の形状に依存して、真の径に対して傾けられても良く、及び／又は延在の主方向において湾曲させられていても良いことは、当業者には明らかであろう。本実施例においては、毛入口開口１４及び分割要素１６は、径方向の長さＬ１を持つ。以下に詳細に説明されるように、分割要素１６は、毛入口開口１４を定義する。
【００３３】
内側切断部材８は、複数の切断要素１８を有し、それぞれの該切断要素は、本実施例においては回転軸１０に対して径方向に延在する第１の切断端２０を有する。第１の切断端２０は、径方向の長さＬ２を持つ。図２に示されるように、毛入口開口１４の径方向の長さＬ１は、第１の切断端の径方向の長さＬ２よりも大きい。更に、切断要素１８は、径方向に見て、第１の切断端２０が、毛入口開口１４の径方向の延在範囲内に存するよう配置される。以下に詳細に説明されるように、分割要素１６はそれぞれ第２の切断端を有し、これらは第１の切断端２０と協働するよう構成される。斯くして、内側切断部材８が方向Ｄに回転的に駆動されると、第１及び第２の切断端は協働して、毛入口開口１４に存在する毛に対して切断動作を実行する。該切断動作は、第１及び第２の切断端が協働する面として定義される単一の切断面において、切断が主に行われるようにする。特に、該切断面に存し、内側切断部材８の回転の間に第１の切断端２０により辿られる経路により定義され、第１の切断端２０と第２の切断端との間で重なる、環状の切断領域２２において、切断が行われる。環状の切断帯は、切断領域２２のすぐ上及び下の空間として定義されても良い。
【００３４】
本実施例においては、毛入口開口１４が備えられた外側切断部材６の環状の外側面は、平坦であることに留意されたい。しかしながら、該外側面は平坦でなくても良く、特に回転軸１０を有する断面で見て凸状の形状を持っても良い。斯かる実施例においては、第１の切断端２０は、外側切断部材６の環状の内側面の凸状の形状に合致する湾曲した形状を持つこととなる。
【００３５】
ここで図３及び４を参照すると、各分割要素１６（又は薄板）は、外側を向く外側面２８を有し、本実施例においては、切断面に略平行であり（それ故回転軸１０に垂直であり）、内側切断要素８に面する内壁３０（図３においては見えていない）に略平行であり、本実施例においては、切断面及び外壁２８に平行である。切断面に平行であり（局所的な）切断方向Ｄに平行な方向における毛入口開口１４の幅Ｗは、０．１５ｍｍと０．４５ｍｍとの間であっても良く、好適には０．１９ｍｍと０．２８５ｍｍとの間であっても良い。典型的な毛は、０．１５±０．０７ｍｍの直径を持ち得る。
【００３６】
分割要素１６は、切断帯内に存する第１の中央切断部分３２と、切断帯の外に存する第１の及び第２の部分３４ａ、３４ｂを有する非切断部分３４と、を有する。切断帯内の切断部分３２の位置、及び切断帯の外の非切断部分３４の位置は、切断領域２２の上又は下の視点から、平坦な切断領域２２に垂直な方向に見られるものである。本実施例においては、非切断部分３４の第１の部分３４ａは、回転軸１０に対して切断帯の径方向外側の位置にあり、非切断部分３４の第２の部分３４ｂは、回転軸１０に対して切断帯の径方向内側の位置にある。非切断部分３４は切断帯の外にあるため、非切断部分３４の領域においては、切断は起こらない。
【００３７】
図４において最も良く示されているように、分割要素１６の切断部分３２と非切断部分３４とは、切断面に垂直で径方向に垂直な面において、異なる断面を持つ。
【００３８】
分割要素１６の切断部分３２は、隣接する毛入口開口を境界付ける第１の側壁２４と、隣接する反対側の毛入口開口を境界付ける第２の対向する側壁２６と、外側に面する外壁２８と、内側切断部材６に面する内壁３０と、を有する。内壁３０と外壁２８とは、離隔され平行であり、概して切断面に平行であり回転軸１０に垂直である。第１の側壁２４と第２の側壁２６とは、概して互いに平行であり、内壁３０及び外壁２８に略垂直である。第１の側壁２４と第２の側壁２６とは当接して、内側切断部材６の回転の間に第１の切断端２０と協働する第２の切断端３３を形成する。以上に説明されたように、第２の切断端３３は、第１の切断端２０と協働して、使用時に毛切断動作を実行する（即ち、第１の切断端２０と第２の切断端３３との間で毛が切断される）。第２の側壁２６と内壁３０とは、同様に当接して端部３５を形成する。第１及び第２の側壁２４、２６は、本実施例においては略一定で比較的大きな半径を持つ湾曲した端部３６、３８により外壁２８に接続される。湾曲した端部３６、３８は、ユーザの皮膚上でシェービング装置１を動かすことにより引き起こされる皮膚の刺激を制限する。
【００３９】
またここで図５を参照すると、分割要素１６の非切断部分３４は同様に、隣接する毛入口開口を境界付ける第１の側壁２４と、隣接する反対側の毛入口開口を境界付ける第２の対向する側壁２６と、外側に面する外壁２８と、内側切断部材６に面する内壁３０と、を有する。内壁３０と外壁２８とは、離隔され平行であり、概して切断面に平行であり回転軸１０に垂直である。第１の側壁２４と第２の側壁２６とは、概して互いに平行であり、内壁３０及び外壁２８に略垂直である。第１及び第２の側壁２４、２６は、本実施例においては略一定で比較的大きな半径を持つ湾曲した端部３６、３８によりそれぞれ外壁２８に接続される。切断部分３２と同様に、湾曲した端部３６、３８は、ユーザの皮膚上でシェービング装置１を動かすことにより引き起こされる皮膚の刺激を制限する。
【００４０】
切断部分３２とは異なり、第１の単一の面取り部４０が、分割要素１６の非切断部分３４の第１の側壁２４と内壁３０との間に備えられ、第２の単一の面取り部４２が、分割要素１６の非切断部分３４の第２の側壁２６と内壁３０との間に備えられる。これにより、単一の面取り部４０、４２のみが、それぞれの側壁２６、２６を非切断部分３４の内壁３０に接続している。「面取り部（chamfer）」なる語は、図４及び５に示されるように、回転軸１０に対する径方向に垂直にとられた非切断部分３４の断面において、直線部分を意味する（即ち該面取り部は単一の直線上に存し曲線を持たない）ものと理解されるべきである。それ故、面取り部は、非切断部分３４の内壁３０とそれぞれの側壁２４、２６を直接に接続する、湾曲していない直線部分（当該断面で見て）である。製造工程は、面取り部４０、４２と内壁３０及びそれぞれの側壁２４、２６との間に定義された直線の端部を厳密には生成しない場合があることは理解されるであろう。幾つかの例においては、製造工程の効果として、それぞれの壁部に面取り部４０、４２を接合する非常に小さな径を持つ小さな湾曲した部分があり得る。しかしながら、斯かる湾曲した部分は無視できるものとみなされ得、あらゆる意図及び目的について、該面取り部はそれぞれの内壁をそれぞれの側壁に直接に接続するものであることは、理解されるべきである。更に、毛入口開口が主な延在方向において直線ではなく湾曲した形状を持つ実施例においては、該面取り部は、該毛入口開口に沿った延在方向において、即ち前記断面に対して垂直な又は横断する方向において、対応する湾曲した形状を持つこととなる。
【００４１】
本実施例においては、側壁２４、２６と単一の面取り部４０、４２との間に、１２０°と１６０°との間の内角θ（図５に示される）が形成される。更に、単一の面取り部４０、４２は、０．０２ｍｍと０．１ｍｍとの間、より好適には０．０２５ｍｍと０．０８ｍｍとの間の高さＨ（図５に示される）に亘って形成される。単一の面取り部４０、４２の高さＨは、切断面に垂直な方向、即ち内側面３０及び外側面２８に垂直な方向において測定される。切断面に垂直な方向において測定される分割要素１６の厚さＴ（図５に示される）、即ち内側面３０と外側面２８との間の距離は、０．０５ｍｍと０．３ｍｍとの間であっても良く、好適な実施例においては、約０．２ｍｍである。単一の面取り部４０、４２は、分割要素１６の厚さＴの１０％乃至４０％の高さＨに亘って形成されても良い。
【００４２】
図示されていないが、切断部分３２の幾何と非切断部分３４との間に漸進的な遷移が提供されても良い。
【００４３】
ここで図６を参照すると、使用時において、毛４４は毛入口開口１４に入り、平坦な切断領域２２を横断すると、切断される。毛入口開口１４内にあるが切断領域２２の外にある毛４４は切断されないことは、理解されるであろう。しかしながら、分割要素１６の非切断部分３４に備えられた単一の面取り部４０、４２は、毛入口開口１４を通る毛を容易に導き、毛は容易に単一の面取り部４０、４２の上を滑動する。毛４４が単一の面取り部４０、４２の上を容易に導かれるため、いずれの端部にも捕捉されず、それ故快適性及びユーザの体感を改善する。それ故、単一の面取り部４０、４２は、毛が引っ掛かり引っ張られることを防止する。
【００４４】
図７は、単一の面取り部４６が更に、分割要素１６の切断部分３２の第２の側壁２６と内壁３０との間に形成される、代替の実施例を示す。勿論、かなり鋭い切断端３３が依然として、切断部分３２の第１の側壁２４と内壁３０との間に備えられている。内側切断部材８の第１の切断端２０の一方向の動き方向Ｄの結果、分割要素１６の切断部分３２は切断機能を持たない。それ故、当該端部に単一の面取り部４６を配置することは、切断機構の毛切断性能を低下させない一方、単一の面取り部４６も同様に、切断部分３２の該端部において毛が引っ掛かること及び引っ張られることを防止するため、非切断部分３４に備えられた単一の面取り部４０、４２に加えて、使用の間のユーザの快適さのレベルを更に改善する。
【００４５】
本発明による外側切断部材６を製造する方法が、図８を参照しながら以下に説明される。
【００４６】
最初に、必要とされる毛入口開口１４及び成形されていない分割要素１６を持つブランク１００が製造される。毛入口開口１４を持つブランク１００は、スタンピング加工、放電加工（ＥＤＣ）、電解加工（ＥＣＭ）、フライス加工、のこ切り加工又はその他のいずれかの当業者に良く知られた適切な手法によってのように、いずれの適切な工程を用いて製造されても良い。ブランク１００は、ほぼ平坦な要素である。分割要素１６は、適切な角度を持つ端部にいずれもが当接する第１及び第２の側壁２４、２６並びに内壁及び外壁２８、３０を有する限りにおいて、特段成形されていない。
【００４７】
分割要素１６の端部は、加圧（印圧とも呼ばれる）を用いて成形される。特に、ブランク１００は、分割要素１６の内壁３０に面する第１の型押し機１０２と、該分割要素の外壁２８に面する第２の型押し機１０４と、の間で加圧される。図８は、ブランク１００の単一の分割要素１６と、単一の分割要素１６の内壁３０の端を形成するよう配置された第１の型押し機１０２の部分と、単一の分割要素１６の外壁２８の端を形成するよう配置された第２の型押し機１０４の部分と、を単に模式的に示していることに留意されたい。実際には、第１の型押し機１０２は、相互に接続され単一の器具とされた図８に示されたような斯かる部分を複数持っても良く、第２の型押し機１０４は、相互に接続され単一の器具とされた図８に示されたような斯かる部分を複数持っても良く、複数の毛入口開口１４及び分割要素１６を有するブランク１００に対して必要な加圧動作を実行することを可能とするために、斯かる単一の器具を構成する方法は、当業者には明らかであろう。
【００４８】
ブランク１００は、内壁３０が第１の型押し機１０２に面するよう、第２の型押し機１０４の上に配置され（図８ａ）、次いで、第１の型押し機１０２が、ブランク１００の方向に動かされる。第１の型押し機１０２は、分割要素１６の非切断部分３４において単一の面取り部４０、４２を形成するよう構成された、面取り部を形成するよう角度をつけられた面１０６を有する。第１の型押し機１０２がブランク１００の方に動かされるにつれて、角度をつけられた面１０６は、分割要素１６の内壁３０と第１及び第２の側壁２４、２６との間の端と接触する（図８ｂ）。ブランク１００が、第１及び第２の型押し機１０２、１０４と完全に整列していない場合には、端に接触している角度をつけられた面１０６が、ブランクを第１及び第２の型押し機１０２、１０４に対して動かし、ブランク１００を第１及び第２の型押し機１０２、１０４と適切に整列させる（図８ｃ）。特に、面取り部を形成するよう角度をつけられた面１０６が、ブランク１００を加圧方向に対して垂直な方向に動かし、第１及び第２の型押し機１０２、１０４と適切に整列させる。第１の型押し機１０２を更に動かすことにより、単一の面取り部４０、４２が分割要素１６に形成される（図８ｄ）。単一の面取り部４０、４２が形成された後、第１の型押し機１０２が取り除かれる（図８ｅ）。単一の面取り部４０、４２を形成するため、及び同時に自動的にブランク１００を整列させるため、角度をつけられた面１０６を使用することが、特に有益である。
【００４９】
分割要素１６の外壁２８における丸くされた端部３６、３８が、他の工程によって別個に形成されても良いし、又は図９に示されるように、第２の型押し機１０４が、単一の面取り部４０、４２を形成する加圧工程の間に、丸くされた端部３６、３８を同時に形成するような形状とされていても良い。他の実施例においては、丸くされた端部３６、３８は、別個の型押し機を用いて加圧／印圧により形成されても良い。端部３６、３８を形作るようブランク１００が加圧／印圧されると、ブランク１００はカップ状の（即ち凸状の外側面が形成され得る）外側切断部材６へと形成され、内側切断部材８に嵌合されるようにされ得る。
【００５０】
図には示されていないが、図７の実施例における分割要素１６の切断部材３２の内壁３０と第２の側壁２６との間の単一の面取り部４６は、加圧動作により同様の方法で備えられても良いことは、当業者には明らかであろう。単一の面取り部４６を切断部分３２の第２の側壁２６にのみ備え、切断部分３２の第１の側壁２４には備えないようにするためには、図８及び９に示された第１の型押し機１０２は、面取り部を形成するための角度をつけられた面１０６を１つのみ持つことは、明らかであろう。図８及び９に示された第１の型押し機１０２の第２の面取り部を形成するための角度をつけられた面１０６の代わりに、第２の切断端３３を形成するための適切な鋭い直線の角度をつけられた部分が備えられても良い。更に、第１の型押し機１０２は、分割要素１６の非切断部分３４において単一の面取り部４０、４２を形成するための第１の部分と、分割要素１６の切断部分３２において単一の面取り部４６を形成するための第２の部分と、を有しても良く、斯かる第１及び第２の部分は、以上に既に説明されたような単一の器具の一部であっても良いことは、明らかであろう。ブランク１００に備えられる分割要素１６の切断部分３２及び非切断部分３４に必要な加圧動作を同時に実行することを可能とするための、斯かる単一の器具を構成する方法は、当業者には明らかであろう。
【００５１】
以上に説明された実施例による毛切断装置は、本発明による回転切断機構を有するシェービング装置であり、内側切断部材８が、回転軸１０のまわりに外側切断部材６に対して一方向に回転させられる。しかしながら、他の実施例においては、該内側切断部材は、回転軸のまわりに、２つの反対の回転方向に往復する態様で、外側切断部材に対して回転させられても良い。本発明はまた、内側切断部材が外側切断部材に対して直線運動し、特に２つの反対の直線状の方向に往復運動する、切断機構にも関する。内側切断部材の往復回転運動又は直線運動を伴う実施例においては、内側切断部材のいずれの運動方向においても切断機能を提供するよう、分割要素の切断部分は、内壁と第１の側壁との間、及び内壁と第２の側壁との間、の両方において第２の切断端を持っても良い。斯かる実施例においては、単一の面取り部は、分割要素の非切断部分のみにおいて備えられても良い。
【図１】
2020518354.tif 000003
【図２】
2020518354.tif 000004
【図３】
2020518354.tif 000005
【図４】
2020518354.tif 000006
【図５】
2020518354.tif 000007
【図６】
2020518354.tif 000008
【図７】
2020518354.tif 000009
【図８（ａ）】
2020518354.tif 000010
【図８（ｂ）】
2020518354.tif 000011
【図８（ｃ）】
2020518354.tif 000012
【図８（ｄ）】
2020518354.tif 000013
【図８（ｅ）】
2020518354.tif 000014
【図９】
2020518354.tif 000015
【国際調査報告】
2020518354.tif 000016
2020518354.tif 000017
2020518354.tif 000018